(57)【要約】  本発明は、フレキシブル表示パネルを支持するための第１中枠及び第２中枠を含む折り畳み可能な表示装置を提供し、第１中枠の第１平面支持部材の表示パネルに面する側の第１表面が、第２平面支持部材の方向に向かって延びており、第２中枠の第２平面支持部材の表示パネルに面する側の第２表面が、第１平面支持部材の方向に向かって延びているので、第１平面支持部材の第１表面と第２平面支持部材の第２表面との間の距離が縮小している。このため、表示パネルの展開時に、表示パネルの折り曲げ領域を第１平面支持部材と第２平面支持部材とで効果的に支持することができ、表示パネルの展開時に折り曲げ領域に優れた平坦性を持たせることができる。【選択図】図１
2021536021.tif 000002
【特許請求の範囲】
【請求項１】
折り畳み可能な表示装置であって、
前記表示装置を折り畳み状態及び展開状態にするための底枠、中枠及び前枠を含み、前記底枠が前記中枠を載置するためのものであり、前記前枠が前記中枠を覆うためのものであり、前記表示装置は、
前記中枠と前記前枠との間に設けられ、複数の画素を有して映像を表示するための表示領域を含み、前記表示領域が第１非折り曲げ領域、第２非折り曲げ領域及び前記第１非折り曲げ領域と前記第２非折り曲げ領域との間に位置する折り曲げ領域に分けられる表示パネルを含み、
前記中枠は、
前記底枠にスライド可能に接続され、前記第１非折り曲げ領域に接着されて、前記折り曲げ領域の一側に重ねられる第１平面支持部材を含む第１中枠と、
前記底枠にスライド可能に接続され、前記第２非折り曲げ領域に接着されて、前記折り曲げ領域の他側に重ねられる第２平面支持部材を含み、前記第１平面支持部材の第１面が前記表示パネルと同じ側に位置し、第２面が前記底枠と同じ側に位置し、前記第２平面支持部材の第１面が前記表示パネルと同じ側に位置し、第２面が前記底枠と同じ側に位置する第２中枠と、を含み、
前記第１平面支持部材の第１端が前記折り曲げ領域から離れ、前記第１平面支持部材の第２端が前記第１平面支持部材の第１端よりも前記第２平面支持部材の近くにあり、前記第２平面支持部材の第１端が前記折り曲げ領域から離れ、前記第２平面支持部材の第２端が前記第２平面支持部材の第１端よりも前記第１平面支持部材の近くにあり、前記第１平面支持部材の第１面は、前記第１平面支持部材の第２面の前記第１平面支持部材の第２端の一側の側辺における対応位置から、前記第２平面支持部材の第１面に向かって延びており、前記第２平面支持部材の第１面は、前記第２平面支持部材の第２面の前記第２平面支持部材の第２端の一側の側辺における対応位置から、前記第１平面支持部材の第１面に向かって延びている折り畳み可能な表示装置。
【請求項２】
前記表示パネルの展開時に、前記第１平面支持部材の第１面と前記第２平面支持部材の第１面とが共平面であり、かつ、前記第１平面支持部材の第２面と前記第２平面支持部材の第２面とが共平面である請求項１に記載の折り畳み可能な表示装置。
【請求項３】
前記第１平面支持部材の第１面と前記第２平面支持部材の第１面との間の第１隙間が、前記第１平面支持部材の第２面と前記第２平面支持部材の第２面との間の第２隙間よりも小さい請求項１に記載の折り畳み可能な表示装置。
【請求項４】
前記第１隙間が０．３ｍｍ以下である請求項３に記載の折り畳み可能な表示装置。
【請求項５】
前記第１平面支持部材は、前記第１平面支持部材の第２面の側辺から、前記第２平面支持部材に向かう方向に沿って前記第１平面支持部材の第１面の側辺に向かって延びる第１面取りを有し、前記第２平面支持部材は、前記第２平面支持部材の第２面の側辺から前記第１平面支持部材に向かう方向に沿って前記第２平面支持部材の第１面の側辺に向かって延びる第２面取りを有する請求項１に記載の折り畳み可能な表示装置。
【請求項６】
前記第１中枠は、前記第１平面支持部材に隣接する、前記第１平面支持部材の第１端及び第２端とは異なる一端に設けられる第１側辺部を含み、前記第２中枠は、前記第２平面支持部材に隣接する、前記第２平面支持部材の第１端及び第２端とは異なる一端に設けられる第２側辺部を含み、前記第１側辺部と前記第２側辺部とが同一側に位置し、前記第１中枠の前記第１側辺部が前記表示パネルの表面に面し、前記第２側辺部に向かう方向及び前記底枠に向かう方向に沿って、第１曲面を形成し、前記第２中枠の前記第２側辺部が前記表示パネルの表面に面し、前記第１側辺部に向かう方向及び前記底枠に向かう方向に沿って、第２曲面を形成する請求項１に記載の折り畳み可能な表示装置。
【請求項７】
予張力アセンブリをさらに含み、予張力アセンブリは、
前記中枠に接続され、当接面を有する当接部材を含む中枠接続部材と、
前記底枠に固定され、収容溝が形成された取付部材を含む底枠固定部材と、
前記底枠固定部材の取付部材の収容溝内に設けられ、非平衡状態での弾性力を予め設定しておき、両端から前記底枠固定部材の取付部材の収容溝の壁及び前記中枠接続部材の当接部材の当接面にそれぞれ弾性力を提供し、前記中枠の回転中に、前記中枠を外へ移動させて、前記中枠が折り畳み中に干渉することを防止する弾性部材と、を含む請求項１に記載の折り畳み可能な表示装置。
【請求項８】
電気駆動アセンブリをさらに含み、電気駆動アセンブリは、
前記中枠に接続され、ベースと前記ベースに固定された中間部材とを含み、前記中間部材にラックが設けられる中枠接続部材と、
モータと、
前記モータの回転軸に設けられるギアであって、前記モータにおけるギアと前記中枠接続部材の前記中間部材におけるラックとが噛み合い、前記中枠の回転時に前記モータが作動して、前記中枠に押圧力を生じ、前記中枠を外へ移動させて、前記中枠が折り畳み中に干渉することを防止するギアと、を含む請求項１に記載の折り畳み可能な表示装置。
【請求項９】
前記表示パネルの折り曲げ領域に対応する位置に設けられて、前記底枠に回動可能に接続される接続枠をさらに含む請求項１に記載の折り畳み可能な表示装置。
【請求項１０】
折り畳み可能な表示装置であって、
前記表示装置を折り畳み状態及び展開状態にするための底枠、中枠及び前枠を含み、前記底枠が前記中枠を載置するためのものであり、前記前枠が前記中枠を覆うためのものであり、前記表示装置は、
前記中枠と前記前枠との間に設けられ、複数の画素を有して映像を表示するための表示領域を含み、前記表示領域が第１非折り曲げ領域、第２非折り曲げ領域及び前記第１非折り曲げ領域と前記第２非折り曲げ領域との間に位置する折り曲げ領域に分けられる表示パネルを含み、
前記中枠は、
前記底枠にスライド可能に接続され、前記第１非折り曲げ領域に接着されて、前記折り曲げ領域の一側に重ねられる第１平面支持部材を含む第１中枠と、
前記底枠にスライド可能に接続され、前記第２非折り曲げ領域に接着されて、前記折り曲げ領域の他側に重ねられる第２平面支持部材を含み、前記第１平面支持部材の第１面が前記表示パネルと同じ側に位置し、第２面が前記底枠と同じ側に位置し、前記第２平面支持部材の第１面が前記表示パネルと同じ側に位置し、第２面が前記底枠と同じ側に位置する第２中枠と、を含み、
前記第１中枠の前記第１平面支持部材の第１面が、前記第２中枠の前記第２平面支持部材の第１面と密接して、密接箇所で前記表示パネルの折り曲げ領域を支持する折り畳み可能な表示装置。
【請求項１１】
前記第１平面支持部材の第１端が前記折り曲げ領域から離れ、前記第１平面支持部材の第２端が前記第１平面支持部材の第１端よりも前記第２平面支持部材の近くにあり、前記第２平面支持部材の第１端が前記折り曲げ領域から離れ、前記第２平面支持部材の第２端が前記第２平面支持部材の第１端よりも前記第１平面支持部材の近くにあり、前記第１平面支持部材の第１面は、前記第１平面支持部材の第２面の前記第１平面支持部材の第２端の一側の側辺における対応位置から、前記第２平面支持部材の第１面に向かって延びており、前記第２平面支持部材の第１面は、前記第２平面支持部材の第２面の前記第２平面支持部材の第２端の一側の側辺における対応位置から、前記第１平面支持部材の第１面に向かって延びている請求項１０に記載の折り畳み可能な表示装置。
【請求項１２】
前記表示パネルの展開時に、前記第１平面支持部材の第１面と前記第２平面支持部材の第１面とが共平面であり、かつ、前記第１平面支持部材の第２面と前記第２平面支持部材の第２面とが共平面である請求項１０に記載の折り畳み可能な表示装置。
【請求項１３】
前記第１平面支持部材の第１面と前記第２平面支持部材の第１面との間の第１隙間が、前記第１平面支持部材の第２面と前記第２平面支持部材の第２面との間の第２隙間よりも小さい請求項１０に記載の折り畳み可能な表示装置。
【請求項１４】
前記第１隙間が０．３ｍｍ以下である請求項１３に記載の折り畳み可能な表示装置。
【請求項１５】
前記第１平面支持部材は、前記第１平面支持部材の第２面の側辺から、前記第２平面支持部材に向かう方向に沿って前記第１平面支持部材の第１面の側辺に向かって延びる第１面取りを有し、前記第２平面支持部材は、前記第２平面支持部材の第２面の側辺から前記第１平面支持部材に向かう方向に沿って前記第２平面支持部材の第１面の側辺に向かって延びる第２面取りを有する請求項１０に記載の折り畳み可能な表示装置。
【請求項１６】
前記第１中枠は、前記第１平面支持部材に隣接する、前記第１平面支持部材の第１端及び第２端とは異なる一端に設けられる第１側辺部を含み、前記第２中枠は、前記第２平面支持部材に隣接する、前記第２平面支持部材の第１端及び第２端とは異なる一端に設けられる第２側辺部を含み、前記第１側辺部と前記第２側辺部とが同一側に位置し、前記第１中枠の前記第１側辺部が前記表示パネルの表面に面し、前記第２側辺部に向かう方向及び前記底枠に向かう方向に沿って、第１曲面を形成し、前記第２中枠の前記第２側辺部が前記表示パネルの表面に面し、前記第１側辺部に向かう方向及び前記底枠に向かう方向に沿って、第２曲面を形成する請求項１１に記載の折り畳み可能な表示装置。
【請求項１７】
予張力アセンブリをさらに含み、予張力アセンブリは、
前記中枠に接続され、当接面を有する当接部材を含む中枠接続部材と、
前記底枠に固定され、収容溝が形成された取付部材を含む底枠固定部材と、
前記底枠固定部材の取付部材の収容溝内に設けられ、非平衡状態での弾性力を予め設定しておき、両端から前記底枠固定部材の取付部材の収容溝の壁及び前記中枠接続部材の当接部材の当接面にそれぞれ弾性力を提供し、前記中枠の回転中に、前記中枠を外へ移動させて、前記中枠が折り畳み中に干渉することを防止する弾性部材と、を含む請求項１０に記載の折り畳み可能な表示装置。
【請求項１８】
電気駆動アセンブリをさらに含み、電気駆動アセンブリは、
前記中枠に接続され、ベースと前記ベースに固定された中間部材とを含み、前記中間部材にラックが設けられる中枠接続部材と、
モータと、
前記モータの回転軸に設けられるギアであって、前記モータにおけるギアと前記中枠接続部材の前記中間部材におけるラックとが噛み合い、前記中枠の回転時に前記モータが作動して、前記中枠に押圧力を生じ、前記中枠を外へ移動させて、前記中枠が折り畳み中に干渉することを防止するギアと、を含む請求項１０に記載の折り畳み可能な表示装置。
【請求項１９】
前記表示パネルの折り曲げ領域に対応する位置に設けられて、前記底枠に回動可能に接続される接続枠をさらに含む請求項１０に記載の折り畳み可能な表示装置。
【発明の詳細な説明】
【技術分野】
【０００１】
本発明は、表示技術分野に関し、特に折り畳み可能な表示装置に関する。
【背景技術】
【０００２】
折り畳み可能な携帯電話は、現在や将来のフレキシブル電子機器の重要な研究開発のホットスポットとなっている。折り畳み可能な携帯電話に対しては、現在一般的に、ギアが噛み合う２つの回転軸をスクリーンの縁に配置する構造が採用されている。このような構造は、構造が簡単で、丈夫で耐久性があるなどの特徴を有するとともに、スクリーンに余分な引っ張り力を与えることなく、現在の折り畳み可能な携帯電話の重要なアーキテクチャモードである。従来の折り畳み可能な携帯電話の主な問題は、両辺に独立した中枠を採用し、中枠間に隙間を設けて、ユーザが平らな状態で使用する場合に、表示パネルの折り曲げ領域に明らかな陥没を感じ、タッチ制御ＡＰＰの体験効果に影響を与えることにある。
【発明の概要】
【発明が解決しようとする課題】
【０００３】
本発明は、従来の表示パネルの使用時に、折り曲げ領域の平坦性不良を解決するために、折り畳み可能な表示装置を提供することを目的とする。
【課題を解決するための手段】
【０００４】
上記の目的を達成するために、本発明は、折り畳み可能な表示装置を提供し、前記表示装置は、前記表示装置を折り畳み状態及び展開状態にするための底枠、中枠及び前枠を含み、前記底枠が前記中枠を載置するためのものであり、前記前枠が前記中枠を覆うためのものであり、前記表示装置は、
前記中枠と前記前枠との間に設けられ、複数の画素を有して映像を表示するための表示領域を含み、前記表示領域が第１非折り曲げ領域、第２非折り曲げ領域及び前記第１非折り曲げ領域と前記第２非折り曲げ領域との間に位置する折り曲げ領域に分けられる表示パネルを含み、
前記中枠は、
前記底枠にスライド可能に接続され、前記第１非折り曲げ領域に接着されて、前記折り曲げ領域の一側に重ねられる第１平面支持部材を含む第１中枠と、
前記底枠にスライド可能に接続され、前記第２非折り曲げ領域に接着されて、前記折り曲げ領域の他側に重ねられる第２平面支持部材を含み、前記第１平面支持部材の第１面が前記表示パネルと同じ側に位置し、第２面が前記底枠と同じ側に位置し、前記第２平面支持部材の第１面が前記表示パネルと同じ側に位置し、第２面が前記底枠と同じ側に位置する第２中枠と、を含み、
前記第１平面支持部材の第１端が前記折り曲げ領域から離れ、前記第１平面支持部材の第２端が前記第１平面支持部材の第１端よりも前記第２平面支持部材の近くにあり、前記第２平面支持部材の第１端が前記折り曲げ領域から離れ、前記第２平面支持部材の第２端が前記第２平面支持部材の第１端よりも前記第１平面支持部材の近くにあり、前記第１平面支持部材の第１面は、前記第１平面支持部材の第２面の前記第１平面支持部材の第２端の一側の側辺における対応位置から、前記第２平面支持部材の第１面に向かって延びており、前記第２平面支持部材の第１面は、前記第２平面支持部材の第２面の前記第２平面支持部材の第２端の一側の側辺における対応位置から、前記第１平面支持部材の第１面に向かって延びている。
【０００５】
本発明の実施例において、前記表示パネルの展開時に、前記第１平面支持部材の第１面と前記第２平面支持部材の第１面とが共平面であり、かつ、前記第１平面支持部材の第２面と前記第２平面支持部材の第２面とが共平面である。
【０００６】
本発明の実施例において、前記第１平面支持部材の第１面と前記第２平面支持部材の第１面との間の第１隙間が、前記第１平面支持部材の第２面と前記第２平面支持部材の第２面との間の第２隙間よりも小さい。
【０００７】
本発明の実施例において、前記第１隙間が０．３ｍｍ以下である。
【０００８】
本発明の実施例において、前記第１平面支持部材は、前記第１平面支持部材の第２面の側辺から、前記第２平面支持部材に向かう方向に沿って前記第１平面支持部材の第１面の側辺に向かって延びる第１面取りを有し、前記第２平面支持部材は、前記第２平面支持部材の第２面の側辺から、前記第１平面支持部材に向かう方向に沿って前記第２平面支持部材の第１面の側辺に向かって延びる第２面取りを有する。
【０００９】
本発明の実施例において、前記第１中枠は、前記第１平面支持部材に隣接する、前記第１平面支持部材の第１端及び第２端とは異なる一端に設けられる第１側辺部を含み、前記第２中枠は、前記第２平面支持部材に隣接する、前記第２平面支持部材の第１端及び第２端とは異なる一端に設けられる第２側辺部を含み、前記第１側辺部と前記第２側辺部とが同一側に位置し、前記第１中枠の第１側辺部が前記表示パネルの表面に面し、前記第２側辺部に向かう方向及び前記底枠に向かう方向に沿って、第１曲面を形成し、前記第２中枠の第２側辺部が前記表示パネルの表面に面し、前記第１側辺部に向かう方向及び前記底枠に向かう方向に沿って、第２曲面を形成する。
【００１０】
本発明の実施例において、前記表示装置は、予張力アセンブリをさらに含み、予張力アセンブリは、
前記中枠に接続され、当接面を有する当接部材を含む中枠接続部材と、
前記底枠に固定され、収容溝が形成された取付部材を含む底枠固定部材と、
前記底枠固定部材の取付部材の収容溝内に設けられ、非平衡状態での弾性力を予め設定しておき、両端から前記底枠固定部材の取付部材の収容溝の壁及び前記中枠接続部材の当接部材の当接面にそれぞれ弾性力を提供し、前記中枠の回転中に、前記中枠を外へ移動させて、前記中枠が折り畳み中に干渉することを防止する弾性部材と、を含む。
【００１１】
本発明の実施例において、前記表示装置は、電気駆動アセンブリをさらに含み、電気駆動アセンブリは、
前記中枠に接続され、ベースと前記ベースに固定された中間部材とを含み、前記中間部材にラックが設けられる中枠接続部材と、  
モータと、
前記モータの回転軸に設けられるギアであって、前記モータにおけるギアと前記中枠接続部材の中間部材におけるラックとが噛み合い、前記中枠の回転時に前記モータが作動して、前記中枠に押圧力を生じ、前記中枠を外へ移動させて、前記中枠が折り畳み中に干渉することを防止するギアと、を含む。
【００１２】
本発明の実施例において、前記表示装置はさらに、
前記表示パネルの折り曲げ領域に対応する位置に設けられて、前記底枠に回動可能に接続される接続枠を含む。
【００１３】
本発明の他の態様は、折り畳み可能な表示装置を提供し、前記表示装置は、前記表示装置を折り畳み状態及び展開状態にするための底枠、中枠及び前枠を含み、前記底枠が前記中枠を載置するためのものであり、前記前枠が前記中枠を覆うためのものであり、前記表示装置は、
前記中枠と前記前枠との間に設けられ、複数の画素を有して映像を表示するための表示領域を含み、前記表示領域が第１非折り曲げ領域、第２非折り曲げ領域及び前記第１非折り曲げ領域と前記第２非折り曲げ領域との間に位置する折り曲げ領域に分けられる表示パネルを含み、
前記中枠は、
前記底枠にスライド可能に接続され、前記第１非折り曲げ領域に接着されて、前記折り曲げ領域の一側に重ねられる第１平面支持部材を含む第１中枠と、
前記底枠にスライド可能に接続され、前記第２非折り曲げ領域に接着されて、前記折り曲げ領域の他側に重ねられる第２平面支持部材を含み、前記第１平面支持部材の第１面が前記表示パネルと同じ側に位置し、第２面が前記底枠と同じ側に位置し、前記第２平面支持部材の第１面が前記表示パネルと同じ側に位置し、第２面が前記底枠と同じ側に位置する第２中枠と、を含み、
前記第１中枠の第１平面支持部材の第１面が、前記第２中枠の第２平面支持部材の第１面と密接して、密接箇所で前記表示パネルの折り曲げ領域を支持することを特徴とする。
【００１４】
本発明の実施例において、前記第１平面支持部材の第１端が前記折り曲げ領域から離れ、前記第１平面支持部材の第２端が前記第１平面支持部材の第１端よりも前記第２平面支持部材の近くにあり、前記第２平面支持部材の第１端が前記折り曲げ領域から離れ、前記第２平面支持部材の第２端が前記第２平面支持部材の第１端よりも前記第１平面支持部材の近くにあり、前記第１平面支持部材の第１面は、前記第１平面支持部材の第２面の前記第１平面支持部材の第２端の一側の側辺における対応位置から、前記第２平面支持部材の第１面に向かって延びており、前記第２平面支持部材の第１面は、前記第２平面支持部材の第２面の前記第２平面支持部材の第２端の一側の側辺における対応位置から、前記第１平面支持部材の第１面に向かって延びている。
【００１５】
本発明の実施例において、前記表示パネルの展開時に、前記第１平面支持部材の第１面と前記第２平面支持部材の第１面とが共平面であり、かつ、前記第１平面支持部材の第２面と前記第２平面支持部材の第２面とが共平面である。
【００１６】
本発明の実施例において、前記第１平面支持部材の第１面と前記第２平面支持部材の第１面との間の第１隙間が、前記第１平面支持部材の第２面と前記第２平面支持部材の第２面との間の第２隙間よりも小さい。
【００１７】
本発明の実施例において、前記第１隙間が０．３ｍｍ以下である。
【００１８】
本発明の実施例において、前記第１平面支持部材は、前記第１平面支持部材の第２面の側辺から、前記第２平面支持部材に向かう方向に沿って前記第１平面支持部材の第１面の側辺に向かって延びる第１面取りを有し、前記第２平面支持部材は、前記第２平面支持部材の第２面の側辺から前記第１平面支持部材に向かう方向に沿って前記第２平面支持部材の第１面の側辺に向かって延びる第２面取りを有する。
【００１９】
本発明の実施例において、前記第１中枠は、前記第１平面支持部材に隣接する、前記第１平面支持部材の第１端及び第２端とは異なる一端に設けられる第１側辺部を含み、前記第２中枠は、前記第２平面支持部材に隣接する、前記第２平面支持部材の第１端及び第２端とは異なる一端に設けられる第２側辺部を含み、前記第１側辺部と前記第２側辺部とが同一側に位置し、前記第１中枠の第１側辺部が前記表示パネルの表面に面し、前記第２側辺部に向かう方向及び前記底枠に向かう方向に沿って、第１曲面を形成し、前記第２中枠の第２側辺部が前記表示パネルの表面に面し、前記第１側辺部に向かう方向及び前記底枠に向かう方向に沿って、第２曲面を形成する。
【００２０】
本発明の実施例において、前記表示装置は、予張力アセンブリをさらに含み、予張力アセンブリは、
前記中枠に接続され、当接面を有する当接部材を含む中枠接続部材と、
前記底枠に固定され、収容溝が形成された取付部材を含む底枠固定部材と、
前記底枠固定部材の取付部材の収容溝内に設けられ、非平衡状態での弾性力を予め設定しておき、両端から前記底枠固定部材の取付部材の収容溝の壁及び前記中枠接続部材の当接部材の当接面にそれぞれ弾性力を提供し、前記中枠の回転中に、前記中枠を外へ移動させて、前記中枠が折り畳み中に干渉することを防止する弾性部材と、を含む。
【００２１】
本発明の実施例において、前記表示装置は、電気駆動アセンブリをさらに含み、電気駆動アセンブリは、
前記中枠に接続され、ベースと前記ベースに固定された中間部材とを含み、前記中間部材にラックが設けられる中枠接続部材と、
モータと、
前記モータの回転軸に設けられるギアであって、前記モータにおけるギアと前記中枠接続部材の中間部材におけるラックとが噛み合い、前記中枠の回転時に前記モータが作動して、前記中枠に押圧力を生じ、前記中枠を外へ移動させて、前記中枠が折り畳み中に干渉することを防止するギアと、を含む。
【００２２】
本発明の実施例において、前記表示装置はさらに、
前記表示パネルの折り曲げ領域に対応する位置に設けられて、前記底枠に回動可能に接続される接続枠を含む。
【発明の効果】
【００２３】
本発明において、第１中枠の第１平面支持部材の表示パネルに面する側の表面が第２平面支持部材の方向に延びており、第２中枠の第２平面支持部材の表示パネルに面する側の表面が第１平面支持部材の方向に延びているので、第１平面支持部材の表示パネルに面する側の表面と第２平面支持部材の表示パネルに面する側の表面との間の距離が縮小している。このため、表示パネルの展開時に、表示パネルの折り曲げ領域を第１平面支持部材と第２平面支持部材とで効果的に支持することができ、表示パネルの展開時に折り曲げ領域に優れた平坦性を持たせることができる。
【図面の簡単な説明】
【００２４】
【図１】図１は本発明に係る折り畳み可能な表示装置を示す分解図である。
【図２】図２は本発明に係る第１中枠及び第２中枠を示す詳細構造図である。
【図３】図３は本発明に係る予張力アセンブリを示す概略図である。
【図４】図４は本発明に係る電気駆動アセンブリを示す概略図である。
【図５】図５は本発明に係る中枠の動作イメージを示すシミュレーション図である。
【発明を実施するための形態】
【００２５】
以下、本発明の目的、技術的手段及び効果をより明瞭、明確にするために、図面を参照しながら実施例を挙げて本発明についてさらに詳細に説明する。ここに記載された具体的な実施例は単なる本発明を解釈するためのものに過ぎず、本発明の明細書で使用される「実施例」という語句は実例、例示又は例証として使用されることを意味し、本発明を限定するためのものではないことを理解されたい。
【００２６】
本発明に係る折り畳み可能な表示装置は、２つの中枠が表示パネルの折り曲げ領域に対して強力な支持を与え、折り曲げ領域の陥没を防止し、折り畳み可能な表示装置の展開状態で折り曲げ領域が沈下しないように保証し、ユーザがタッチ制御ＡＰＰを使用する時に、より良好な使用効果が得られる。
【００２７】
図１は本発明に係る折り畳み可能な表示装置を示す分解図である。図１に示すように、本発明に係る折り畳み可能な表示装置は、表示パネル１０、１対の中枠（即ち、第１中枠２１及び第２中枠２２）、１対の底枠（即ち、第１底枠３１及び第２底枠３２）、１対の前枠（即ち、第１前枠４１及び第２前枠４２）及び接続枠５０を含む。底枠が中枠を支持し、前枠が中枠を覆い、表示パネルが中枠と前枠との間に設けられる。底枠、中枠及び前枠が折り畳み可能な表示装置を折り畳み状態及び展開状態にするために用いられる。
【００２８】
表示パネル１０が、フレキシブル基板（例えばプラスチック製）を用いたフレキシブル表示パネルである。表示パネル１０は、例えばフレキシブル有機発光ダイオード（ｏｒｇａｎｉｃ  ｌｉｇｈｔ  ｅｍｉｔｔｉｎｇ  ｄｉｏｄｅ，  ＯＬＥＤ）表示パネル、フレキシブル液晶表示（ｌｉｑｕｉｄ  ｃｒｙｓｔａｌ  ｄｉｓｐｌａｙ，  ＬＣＤ）パネル及び電気泳動表示（ｅｌｅｃｔｒｏ−ｐｈｏｒｅｔｉｃ  ｄｉｓｐｌａｙ，ＥＰＤ）パネルである。
【００２９】
表示パネル１０が、複数の画素を有して映像を表示するための表示領域を含み、前記表示領域が第１非折り曲げ領域１０１、第２非折り曲げ領域１０２及び折り曲げ領域１０３に分けられてもよい。第１非折り曲げ領域１０１が表示パネル１０の一側辺と折り曲げ領域１０３との間に位置し、第２非折り曲げ領域１０２が表示パネル１０の他側辺と折り曲げ領域１０３との間に位置する。折り曲げ領域１０３が第１非折り曲げ領域１０１と第２非折り曲げ領域１０２との間に位置する。表示パネル１０の展開時に、第１非折り曲げ領域１０１、第２非折り曲げ領域１０２及び折り曲げ領域１０３はいずれも平面であるか又は共平面に位置し、表示パネル１０の折り畳み時に、折り曲げ領域１０３は円弧面又は湾曲形状を形成するが、第１非折り曲げ領域１０１と第２非折り曲げ領域１０２とが平面形状を保持する。
【００３０】
第１中枠２１が第１底枠３１にスライド可能に接続され、第２中枠２２が第２底枠３２にスライド可能に接続される。第１中枠２１が表示パネル１０の第１非折り曲げ領域１０１を支持するために用いられ、第２中枠２２が表示パネル１０の第２非折り曲げ領域１０２を支持するために用いられる。第１中枠２１は第１平面支持部材２１０を含み、第２中枠２２は第２平面支持部材２２０を含む。表示パネル１０は、映像を表示する側である前側と、前側とは反対側である後側とを含む。第１平面支持部材２１０が、第１非折り曲げ領域１０１（具体的には、表示パネル１０の後側の第１非折り曲げ領域１０１に対応する領域に接着される）に接着されるとともに、折り曲げ領域１０３の一側に重ねられる。第２平面支持部材２２０が、第２非折り曲げ領域１０２（具体的には、表示パネル１０の後側の第２非折り曲げ領域１０２に対応する領域に接着される）に接着されるとともに、折り曲げ領域１０３の他側に重ねられる。
【００３１】
第１平面支持部材２１０と第２平面支持部材２２０とは折り曲げ領域１０３に接着されることなく、表示パネル１０の折り曲げ時に、表示パネル１０は折り曲げ領域１０３で折り曲げることができる。表示パネル１０の展開時に、第１平面支持部材２１０の接着されていない領域は、折り曲げ領域１０３の一側を支持するために用いられ、第２平面支持部材２２０の接着されていない領域は、折り曲げ領域１０３の他側を支持するために用いられる。
【００３２】
図２は本発明に係る第１中枠及び第２中枠を示す詳細構造図である。図１及び図２に示すように、第１平面支持部材２１０の第１端が第１底枠３１に結合され、第１平面支持部材２１０の第１端が折り曲げ領域１０３から離れ、第１平面支持部材２１０の第２端が第１平面支持部材２１０の第１端よりも第２平面支持部材２２０の近くにあり、第２平面支持部材２２０の第１端が第２底枠３２に結合され、第２平面支持部材２２０の第１端が折り曲げ領域１０３から離れ、第２平面支持部材２２０の第２端が第２平面支持部材２２０の第１端よりも第１平面支持部材２１０の近くにある。第１平面支持部材２１０の第１面が第１非折り曲げ領域１０１と同じ側に位置し、第２面が第１底枠３１と同じ側に位置し、第２平面支持部材２２０の第１面が第２非折り曲げ領域１０２と同じ側に位置し、第２面が第２底枠３２と同じ側に位置する。
【００３３】
例えば、第１中枠２１（第２中枠２２）は、第１端に突出部材を有し、第１底枠３１（第２底枠３２）は、突出部材に対応する溝穴を有し、突出部材と溝穴との結合により、第１中枠２１（第２中枠２２）と第１底枠３１（第２底枠３２）とが結合される。
【００３４】
表示パネル１０の展開時に、第１中枠２１の第１平面支持部材２１０の第１面が、第２中枠２２の第２平面支持部材２２０の第１面と密接して、密接箇所で表示パネル１０の折り曲げ領域１０３を支持する。第１平面支持部材２１０の第１面と第２平面支持部材２２０の第１面とが共平面であり、第１平面支持部材２１０の第２面と第２平面支持部材２２０の第２面とが共平面である。第１平面支持部材２１０の第１面が、第１平面支持部材２１０の第２面の第１平面支持部材２１０の第２端の一側の側辺における対応位置（図２に示す点線Ｌ１）から、第２平面支持部材２２０の第１面に向かって延びており、第２平面支持部材２２０の第１面が、第２平面支持部材２２０の第２面の第２平面支持部材２２０の第２端の一側の側辺における対応位置（図２に示す点線Ｌ２）から、第１平面支持部材２１０の第１面に向かって延びている。これにより、第１平面支持部材２１０の第１面と第２平面支持部材２２０の第１面との間の第１隙間Ｇ１が、第１平面支持部材２１０の第２面と第２平面支持部材２２０の第２面との間の第２隙間Ｇ２よりも小さい。第１平面支持部材２１０と第２平面支持部材２２０とは第２端に、斜面面取り又は円弧面取りのような面取りを形成する。具体的には、第１平面支持部材２１０は、第１平面支持部材２１０の第２面の側辺から第２平面支持部材２２０に向かう方向に沿って第１平面支持部材２１０の第１面の側辺に向かって延びる第１面取りを有する。第２平面支持部材２２０は、第２平面支持部材２２０の第２面の側辺から第１平面支持部材２１０に向かう方向に沿って第２平面支持部材２２０の第１面の側辺に向かって延びる第２面取りを有する。第１平面支持部材２１０及び第２平面支持部材２２０が回転する時に、第１面取り及び第２面取りを設けることにより、第１平面支持部材２１０及び第２平面支持部材２２０が底枠（又は接続枠）と干渉することを防止することができる。
【００３５】
第１平面支持部材２１０の第１面が第２平面支持部材２２０の方向に向かって延びており、第２平面支持部材２２０の第１面が第１平面支持部材２１０の方向に向かって延びることで、第１平面支持部材２１０と第２平面支持部材２２０との間の隙間を効果的に縮小させる。この隙間は、好ましくは０．３ｍｍ未満である。これにより表示パネル１０の展開時に折り曲げ領域１０３の平坦性を保証することができ、ユーザは使用時に折り曲げ領域１０３の著しい陥没を感じることがない。
【００３６】
第１底枠３１は第１中枠２１の第１平面支持部材２１０を支持するために用いられ、第２底枠３２は第２中枠２２の第２平面支持部材２２０を支持するために用いられる。表示パネル１０の状態が変化すると、例えば展開から折り畳みに変わるか、又は折り畳みから展開に変わると、第１中枠２１が第１回転軸の周りに回転するとともに、第１中枠２１に結合された第１底枠３１も回転し、第２中枠２２が第２回転軸の周りに回転するとともに、第２中枠２２に結合された第２底枠３２も回転する。
【００３７】
接続枠５０は、第１中枠２１の第１平面支持部材２１０と第２中枠２２の第２平面支持部材２２０との間（又は第１底枠３１と第２底枠３２との間）に設けられ、表示パネル１０の折り曲げ領域１０３に対応する位置に設けられる。第１底枠３１及び第２底枠３２が共に接続枠５０に回動可能に接続される。第１底枠３１が第１端で第１中枠２１と共に回転する時に、第１底枠３１は第２端で接続枠５０に対して回動し、第２底枠３２が第１端で第２中枠２２と共に回転する時に、第２底枠３２は第２端で接続枠５０に対して回動する。
【００３８】
第１前枠４１は第１端で第１底枠３１の第１端に結合され、第１前枠４１の第２端が第１底枠３１の第２端に結合され、第２前枠４２は第１端で第２底枠３２の第１端に結合され、第２前枠４２の第２端が第２底枠３２の第２端に結合される。第１前枠４１及び第２前枠４２の第１端は表示パネル１０の折り曲げ領域１０３から離れた端であり、第１前枠４１及び第２前枠４２の第２端が表示パネル１０の折り曲げ領域１０３に近い端である。
【００３９】
第１底枠３１及び第２底枠３２が接続枠５０に対して互いに対向した状態に回動すると、表示パネル１０は折り曲げ領域１０３で折り畳まれる。第１底枠３１及び第２底枠３２が接続枠５０に対して平面状態に回動すると、表示パネル１０は展開するか又は平坦状態になる。
【００４０】
本発明において、第１中枠２１の第１平面支持部材２１０の表示パネル１０に面する側の表面が、第２平面支持部材２２０の方向に延びており、第２中枠２２の第２平面支持部材２２０の表示パネル１０に面する側の表面が、第１平面支持部材２１０の方向に延びているので、第１平面支持部材２１０の表示パネル１０に面する側の表面と第２平面支持部材２２０の表示パネル１０に面する側の表面との間の距離が縮小している。このため、表示パネル１０の展開時に、表示パネル１０の折り曲げ領域１０３を第１平面支持部材２１０と第２平面支持部材２２０とで効果的に支持することができ、表示パネル１０の展開時に折り曲げ領域１０３に優れた平坦性を持たせることができる。
【００４１】
一実施例において、第１中枠２１は、第１平面支持部材２１０に隣接する、第１平面支持部材２１０の第１端及び第２端とは異なる一端に設けられる第１側辺部２１５を含み、第２中枠２２は、第２平面支持部材２２０に隣接する、第２平面支持部材２２０の第１端及び第２端とは異なる一端に設けられる第２側辺部２２５を含む。第１側辺部２１５と第２側辺部２２５とは同一側に位置する。例えば、第１側辺部２１５と第２側辺部２２５とは、表示パネル１０の長辺に対応する位置にある。
【００４２】
第１側辺部２１５及び第２側辺部２２５は、表示パネル１０の非表示領域（例えば、自身が映像を表示しない周辺配線領域）又は表示パネル１０を含む表示装置の額縁に対応して設けられていてもよい。表示装置が狭額縁又は額縁なしの場合に、第１側辺部２１５及び第２側辺部２２５を設けなくてもよい。
【００４３】
第１中枠２１の第１側辺部２１５は表示パネル１０の表面に面し、第２中枠２２の第２側辺部２２５に向かう方向及び第１底枠３１に向かう方向に沿って第１曲面を形成し、第２中枠２２の第２側辺部２２５は表示パネル１０の表面に面し、第１中枠２１の第１側辺部２１５に向かう方向及び第２底枠３２に向かう方向に沿って第２曲面を形成する。第１側辺部２１５における第１曲面と第２側辺部２２５における第２曲面とは表示パネル１０の折り畳み時に第１中枠２１と第２中枠２２とが干渉することを防止して、折り畳み動作の円滑性を保証する。
【００４４】
さらに、本発明の実施例において、予張力アセンブリ又は電気駆動アセンブリにより中枠の回転中に中枠を外へ移動させることにより、折り畳み中の中枠が干渉することを防止し、折り畳み動作の円滑性を保証することができる。
【００４５】
図３は本発明に係る予張力アセンブリを示す概略図である。一実施例において、折り畳み可能な表示装置は予張力アセンブリ６０をさらに含む。予張力アセンブリ６０が中枠に予張力を加えることで、中枠を回転中に僅かに外へ移動させて、中枠が折り畳み中に干渉することを防止する。予張力アセンブリ６０の数は、中枠の数に対応していてもよい。例えば、第１中枠２１及び第２中枠２２には、対応する予張力アセンブリ６０がそれぞれ設けられている。以下、第１中枠２１に予張力アセンブリ６０が設けられている場合について説明する。図３に示すように、予張力アセンブリ６０は、中枠接続部材６２、底枠固定部材６４及び弾性部材６６を含む。中枠接続部材６２は、ベース６２１と、ベース６２１に固定された雄ピン６２２と、ベース６２１に固定され、ベース６２１の表面に垂直な当接面を有する当接部材６２３とを含む。中枠接続部材６２は雄ピン６２２を介して第１中枠２１に固定連結される。例えば第１中枠２１が雄ピン６２２に嵌合される凹溝（図示せず）を有することで、雄ピン６２２と凹溝との嵌合により、中枠接続部材６２が第１中枠２１に固定される。当接部材６２３の当接面は弾性部材（例えばバネ）６６の一端に当接するために用いられる。底枠固定部材６４は、基部６４１と、基部６４１に固定されるか又は基部６４１と一体成形された連結部材６４２と、弾性部材６６を取り付けるための取付部材６４３とを含む。連結部材６４２は溝穴６４４を有し、第１底枠３１は溝穴６４４に嵌合されるボス（図示せず）又はボルト（図示せず）を有することで、溝穴６４４とボス又はボルトとの嵌合により、底枠固定部材６４が第１底枠３１に固定される。取付部材６４３は基部６４１に固定され、収容溝６４５が形成されており、収容溝６４５内に弾性部材６６が配置され、弾性部材６６の他端が収容溝６４５の壁に当接する。弾性部材６６は、非平衡状態での弾性力を予め設定しておく。例えば、弾性部材６６はバネであり、バネが予圧縮されている。弾性部材６６の両端から、底枠固定部材６４の取付部材６４３の収容溝６４５の壁と、中枠接続部材６２の当接部材６２３の当接面とに弾性力をそれぞれ与えるため、中枠接続部材６２と底枠固定部材６４とに互いに離間した予張力を与えることができる。したがって、第１中枠２１が回転中に、弾性部材６６が第１中枠２１を押すことで、第１中枠２１をわずかに外へ移動させて、第１中枠２１が折り畳み中に第２中枠２２と干渉することを防止することができる。
【００４６】
図４は本発明に係る電気駆動アセンブリを示す概略図である。一実施例において、折り畳み可能な表示装置は電気駆動アセンブリ７０をさらに含む。電気駆動アセンブリ７０が中枠を回転中にわずかに外へ移動させて、中枠が折り畳み中に干渉することを防止する。電気駆動アセンブリ７０の数は、中枠の数に対応していてもよい。例えば、第１中枠２１及び第２中枠２２には、対応する電気駆動アセンブリ７０がそれぞれ設けられている。以下、第１中枠２１に電気駆動アセンブリ７０が設けられている場合について説明する。図４に示すように、電気駆動アセンブリ７０は、中枠接続部材７２と、モータ７４と、モータ７４の回転軸に設けられたギア７６とを含む。中枠接続部材７２は、ベース７２１と、ベース７２１に固定された雄ピン７２２と、ベース７２１に固定された中間部材７２３（例えば中間部材７２３が接着によりベース７２１に固定されるか、又は中間部材７２３がベース７２１と一体成形される）とを含む。中枠接続部材７２は雄ピン７２２を介して第１中枠２１に固定連結される。例えば、第１中枠２１が雄ピン７２２に嵌合される凹溝（図示せず）を有することで、雄ピン７２２と凹溝との嵌合により、中枠接続部材７２が第１中枠２１に固定される。モータ７４が折り畳み可能な表示装置のフレーム（例えば、リアカバー）に設けられてもよい。中枠接続部材７２の中間部材７２３にはラック７２４が設けられている。モータ７４におけるギア７６と、中枠接続部材７２の中間部材７２３におけるラック７２４とが噛み合い、ギア７６とラック７２４との噛合により、モータ７４の動力が第１中枠２１に伝達される。第１中枠２１が回転するとモータ７４が作動し、モータ７４から第１中枠２１に加える押圧力により、第１中枠２１が回転中に僅かに外へ移動して、第１中枠２１が折り畳み中に第２中枠２２と干渉することを防止する。
【００４７】
図５は本発明に係る中枠の動作イメージを示すシミュレーション図である。図５に示すように、中枠は回転軸の周りに回転し、中枠は回転中に外へ移動して、回転中の相互干渉を防止し、折り畳み動作を円滑に完了することができる。
【００４８】
以上、本発明は、好ましい実施例を参照して説明したが、前記好ましい実施例は、本発明を制限するためのものではなく、当業者であれば、本発明の範囲を逸脱しない限り、様々な変更や修飾を加えることができ、したがって、本発明の保護範囲は、特許請求の範囲によって定義される。
【図１】
2021536021.tif 000003
【図２】
2021536021.tif 000004
【図３】
2021536021.tif 000005
【図４】
2021536021.tif 000006
【図５】
2021536021.tif 000007
【国際調査報告】
2021536021.tif 000008
2021536021.tif 000009
2021536021.tif 000010
2021536021.tif 000011